(57)【要約】【課題】プロテクタ同士の結合時の挿入力を低減し、かつ、遊びを減少させる。【解決手段】第２プロテクタ本体１３の結合部１８に、底壁１８ａの結合側先端にロック片２５を両側にスリット２６を入れて設けると共に、両側壁１８ｂには左右一対のロック爪２４を設け、第１プロテクタ本体１２の結合部１７は、底壁１７ａにロック片２５を挿入係止するロック孔１９を穿設し、両側壁１７ｂにはロック孔１９よりも結合端側の位置にロック爪係止枠２１を設け、第１、第２プロテクタ本体１２、１３の結合部位Ａにおいて、左右一対のロック爪２４とロック爪係止枠２１、およびロック片２５とロック孔１９の３箇所でロック結合している。【選択図】図２
2008271672.tif 000002
【特許請求の範囲】
【請求項１】
別体の樹脂成形品からなる樋形状とした第１プロテクタ本体と第２プロテクタ本体とを、長さ方向の一端側に形成した結合部同士を嵌合して結合しており、
前記第１プロテクタ本体の前記結合部に、底壁にロック孔を穿設していると共に、該ロック孔よりも結合部先端側に両側壁に左右一対のロック爪係止枠を設けている一方、
前記第２プロテクタ本体の前記結合部の底壁および両側壁は、第１プロテクタ本体の前記結合部の底壁および両側壁の内面に嵌合される大きさとし、該底壁の先端に前記ロック孔に挿入係止するロック片を両側にスリットを設けていると共に、両側壁に前記ロック爪係止枠に係止するロック爪を設けており、
前記第１、第２プロテクタ本体の結合部において、前記両側壁および底壁の３箇所でロック結合していることを特徴とするワイヤハーネス用プロテクタ。
【請求項２】
前記第１プロテクタ本体の結合部の底壁の幅方向の中央部に前記ロック孔を幅方向に延在させて設けていると共に、その左右両側に位置決め孔を設けている一方、
前記第２プロテクタ本体の結合部の底壁には、前記ロック片の両側にスリット介して位置する両外側位置に前記位置決め孔に嵌合する位置決めリブを設け、
かつ、前記ロック孔にロック結合する前記ロック片は縦枠部の先端に下端屈曲部を設けたＬ字形状として、該下端屈曲部をロック孔の周縁の下面に係止し、該ロック片の縦枠部の厚さより前記ロック孔の長さ方向を大として撓み用隙間を設けている請求項１に記載のワイヤハーネス用プロテクタ。
【請求項３】
前記第１、第２プロテクタ本体はそれぞれロック結合される蓋を備えている請求項１または請求項２に記載のワイヤハーネス用プロテクタ。
【請求項４】
前記第１プロテクタと第２プロテクタとは前記結合部を介して屈曲して連結されるものである請求項１乃至請求項３のいずれか１項に記載のワイヤハーネス用プロテクタ。
【発明の詳細な説明】
【技術分野】
【０００１】
本発明は、ワイヤハーネス用プロテクタに関し、特に、長さ方向に分割されたプロテクタ同士を上下方向に嵌合して結合する上下嵌合型の連結プロテクタにおいて、結合構造の改良を図るものである。
【背景技術】
【０００２】
近年、自動車に配索するワイヤハーネスは大型化および複雑化しており、その電線量も増加の一途であるが、車両内におけるワイヤハーネスの配索スペースにも制限があるため、ワイヤハーネスは車体パネルに沿った狭いスペースに正確かつ高密度に配索することが求められていると共に、ワイヤハーネスが外部干渉材と接触しないように保護するため、樹脂成形品からなるプロテクタを設けてワイヤハーネスに外装している場合が多い。
【０００３】
前記樹脂成形品からなるプロテクタは、複雑な屈曲形状で、一度に金型成形できない場合には、分割して別体として成形し、これら分割したプロテクタ同士を連結して一つのプロテクタに組み立てている。
【０００４】
図７は、前記連結タイプのプロテクタのうち、分割したプロテクタ同士を長さ方向にスライド結合する例を示している。
詳しくは、互いに樋形状の第１プロテクタ１と第２プロテクタ２の結合構造において、第１プロテクタ１の底壁１ａ上に、第２プロテクタ２の底壁２ａの先端部を挿入保持する保持底片１ｃを設け、第１プロテクタ１の両側壁１ｂに、第２プロテクタ２の両側壁２ｂの先端部を挿入保持する保持側片１ｄを設け、第２プロテクタ２の底壁２ａと両側壁２ｂを第１プロテクタ１の底壁１ａと両側壁１ｂの内面側に重合させるとともに、第２プロテクタ２の底壁２ａと両側壁２ｂの先端部を第１プロテクタ１の前記保持底片１ｃと保持側片１ｄにそれぞれ挿入保持させ、かつ、第２プロテクタ２の底壁２ａの下面より突設した係合突起２ｃを、第１プロテクタ１の底壁１ａの上面に凹設した係合凹部１ｅに嵌合させて、第１プロテクタ１と第２プロテクタ２とを結合している（特開平１０−８４６１３号参照）。
【０００５】
しかしながら、前記スライド連結タイプのプロテクタは、前記保持底片１ｃと保持側片１ｄとで第１、第２プロテクタ１、２の結合部を上下Ｙ方向に分離規制することはできるが、長さＸ方向の分離規制は、前記係合突起２ｃと係合凹部１ｅの嵌合のみによって行われる構造であるため、この長さＸ方向の結合力が弱く、結合部に何らかの荷重がかかったときに、第１、第２プロテクタ１、２の連結が解除されて長さＸ方向に分離しやすい点に課題がある。
【０００６】
一方で、長さ方向に分割されたプロテクタ同士を上下方向に嵌合して連結するプロテクタも一般に知られている。この上下嵌合型のプロテクタは、図８（Ａ）に示すように、第１プロテクタ５の結合部に第２プロテクタ６の結合部が内嵌するように、第１プロテクタ５に第２プロテクタ６を上方から嵌合し、第１プロテクタ５の両側壁５ｂに形成した被ロック枠５ｃに第２プロテクタ６の両側壁６ｂに形成した第１ロック爪６ｃを係止して第１ロックをかけると共に、第２プロテクタ６の底壁６ａに穿設したロック孔６ｄに、第１プロテクタ５の底壁５ａより突設した第２ロック爪５ｄを嵌合して第２ロックをかけることによって、第１、第２プロテクタ５、６を連結している。
【０００７】
しかしながら、前記第２ロック爪５ｄは、図９に示すように、第２プロテクタ６の底壁６ａの上面に突出しないように突出高さｈを低く設計する必要があるため、ロック孔６ｄとの嵌合時に必要な撓みを殆ど確保できない。また、前記ロック孔６ｄも、第２ロック爪５ｄとの嵌合時に広がる構造ではない。そのため、第２ロック爪５ｄをロック孔６ｄに嵌合するときに大きな挿入力が必要となり作業性が悪いうえ、半嵌合となりやすい点に問題がある。
【０００８】
また、図８（Ｂ）にも示すように、前記第１ロックと第２ロックは長さＸ方向において同一箇所になされるため、この第１、第２ロック位置を中心に第１、第２プロテクタ５、６が上下回転Ｖ方向にズレ動きやすい。さらに、前記ロック孔６ｄと第２ロック爪５ｄとの間には、嵌合作業を容易化するためにクリアランスが設けられているため、第１、第２プロテクタ５、６は長さＸ方向にもズレ動きやすく、前記上下回転Ｖ方向と長さＸ方向の両方向に「遊び」が大きい点にも問題がある。
【０００９】
【特許文献１】特開平１０−８４６１３号公報
【発明の開示】
【発明が解決しようとする課題】
【００１０】
本発明は前記問題に鑑みてなされたもので、長さ方向に分割されたプロテクタ同士を上下方向に嵌合して結合するワイヤハーネス用プロテクタにおいて、プロテクタ同士の結合時に必要な挿入力を低減すると共に、結合部の遊びを減少させることを従たる課題としている。
【課題を解決するための手段】
【００１１】
前記問題を解決するために、本発明は、別体の樹脂成形品からなる樋形状とした第１プロテクタ本体と第２プロテクタ本体とを、長さ方向の一端側に形成した結合部同士を嵌合して結合しており、
前記第１プロテクタ本体の前記結合部に、底壁にロック孔を穿設していると共に、該ロック孔よりも結合部先端側に両側壁に左右一対のロック爪係止枠を設けている一方、
前記第２プロテクタ本体の前記結合部の底壁および両側壁は、第１プロテクタ本体の前記結合部の底壁および両側壁の内面に嵌合される大きさとし、該底壁の先端に前記ロック孔に挿入係止するロック片を両側にスリットを設けていると共に、両側壁に前記ロック爪係止枠に係止するロック爪を設けており、
前記第１、第２プロテクタ本体の結合部において、前記両側壁および底壁の３箇所でロック結合していることを特徴とするワイヤハーネス用プロテクタを提供している。
【００１２】
前記構成のプロテクタは、第２プロテクタ本体の底壁先端に設けたロック片の両側にスリットを入れているため、ロック片が撓みやすく、第１プロテクタ本体のロック孔に挿入係止するときの反りを十分に確保できる。従って、プロテクタ同士の結合時に必要な挿入力を低減できると共に半嵌合を防止でき、作業性を向上させることができる。
【００１３】
また、第１、第２プロテクタ本体の結合部は、両側壁に設けられた前記ロック爪と前記ロック爪係止枠とのロック結合箇所で長さ方向（連結方向）と上下方向の両方向に分離規制されるうえ、該ロック結合箇所とは長さ方向に異なる箇所で、前記ロック片とロック孔とのロック結合によって上下方向に分離規制される。即ち、長さ方向に異なる２箇所で上下方向に分離規制されるため、第１、第２プロテクタ本体の前記ロック結合箇所を中心とした上下回転方向のズレ動きを抑制することができる。
【００１４】
前記第１プロテクタ本体の結合部の底壁には、長さ方向と直交する幅方向の中央部に前記ロック孔を幅方向に延在させて設けていると共に、その左右両側に位置決め孔を設けている一方、
前記第２プロテクタ本体の結合部の底壁には、前記ロック片の両側にスリット介して位置する両外側位置に前記位置決め孔に嵌合する位置決めリブを設け、
かつ、前記ロック孔にロック結合する前記ロック片は縦枠部の先端に下端屈曲部を設けたＬ字形状として、該下端屈曲部をロック孔の周縁の下面に係止し、該ロック片の縦枠部の厚さより前記ロック孔の長さ方向を大として撓み用隙間を設けていることが好ましい。
【００１５】
このように、第２プロテクタ本体のロック片の下端屈曲部を第１プロテクタ本体の底壁のロック孔に挿入し、第１プロテクタ本体の底壁の下面側のロック孔周縁に係止させることにより、従来のようにロック孔を設けた底壁の上面に突出しないように下方から挿入係止されるロック片と異なり、ロック片の縦枠部の突出量を長く設計できるため、ロック片は一層撓みやすくなる。
また、ロック片の縦枠部の厚さより前記ロック孔を大としているため、ロック片の撓みスペースを確保できるため、この点からもロック片は撓み易くなる。
以上のことから、ロック孔へのロック片の挿入力が一層緩和されるため、第１、第２プロテクタの結合を低挿入力で行うことができる。
一方、前記のように、ロック片とロック孔との間に長さ方向の隙間を設けると、遊びが生じやすいが、前記位置決め孔に位置決めリブを嵌合することによって、前記隙間によるロック片のズレ動きを抑制できる。
特に、位置決めリブを位置決め孔に単純に挿入するだけの嵌合構造とすることにより、係止爪構造と異なり、位置決めリブと位置決め孔との間のクリアランスを極小化できるため前記ロック片のズレ動き極小化することができる。
【００１６】
このように、前記構成のプロテクタは、上下方向、上下回転方向、さらに長さ方向の遊びを減少させることができるため、前記結合部の変形を防止でき、該プロテクタとワイヤハーネスや周辺部品との干渉、およびそれに起因する損傷を防止することができる。
【００１７】
前記第１、第２プロテクタ本体はそれぞれロック結合される蓋を備えていることが好ましい。
特に、第１プロテクタ本体の結合部に、第１、第２プロテクタの両方の蓋のロック部を係止する被ロック部を設け、第１、第２プロテクタ本体の結合部同士が結合された状態で、前記被ロック部に両方の蓋のそれぞれのロック部をロック結合することにより、第１プロテクタ本体と第２プロテクタ本体とは蓋を介してもロック結合することになり、より連結強度を高めることができる。
【００１８】
前記第１プロテクタと第２プロテクタとは前記結合部を介して屈曲して連結される場合に最も好適に用いられるが、プロテクタが大型化した場合、屈曲部に限らず直線部においてもプロテクタを第１、第２プロテクタに分割し、前記結合部を設けて結合してもよい。さらに、プロテクタは第１、第２プロテクタの組み合わせに限定されず、屈曲部が多い場合や大型長尺化する場合は、第３、第４・・・と多分割し、これら各分割端を前記結合部で結合することが好ましい。
【発明の効果】
【００１９】
上述したように、本発明によれば、第２プロテクタ本体の底壁先端に設けたロック片の両側にスリットを設けているため、ロック片が撓みやすく、第１プロテクタ本体のロック孔に嵌合するときに必要な挿入力を低減できると共に、半嵌合も防止でき、作業性が向上する。
【００２０】
また、第１、第２プロテクタ本体の結合部は、長さ方向に異なる２箇所で、上下方向に分離規制されるため、両側壁に設けたロック爪およびロック爪係止枠とのロック結合位置を中心とする上下回転方向の遊びを減少させることができる。
さらに、前記位置決めリブと前記位置決め孔に嵌合することにより、長さ方向の遊びも減少させることができる。
【００２１】
このように、上下方向、上下回転方向および長さ方向の遊びを減少することにより、第１、第２プロテクタ本体の結合部の変形を防止できるとともに、ワイヤハーネスや周辺部品との干渉も防止することができる。
【発明を実施するための最良の形態】
【００２２】
以下、本発明の実施形態を図面を参照して説明する。
図１乃至図６に、本発明の第１実施形態にかかるワイヤハーネス用プロテクタ１０を示す。
プロテクタ１０は、車両の車体パネルに沿って配索されるワイヤハーネス（図示せず）に外装するものであり、図１に示すように、ワイヤハーネスの配索経路に沿って屈曲形状としている。
前記プロテクタ１０は、別体の樹脂成形品からなる第１プロテクタ１０−１と第２プロテクタ本体１０−２とを結合部位Ａを介して屈曲形状に連結して一体化している。
【００２３】
第１プロテクタ１０−１は、底壁１２ａと両側壁１２ｂを備えた樋形状の第１プロテクタ本体１２と、その上面開口を覆う第１蓋１５を備えている。
第２プロテクタ１０−２は、底壁１３ａと両側壁１３ｂを備えた樋形状の第２プロテクタ本体１３と、その上面開口を覆う第２蓋１６を備えている。
【００２４】
前記第１プロテクタ本体１２と第２プロテクタ本体１３は、図２に示すように、長さ方向の一端側に結合部１７、１８を形成し、該結合部１７、１８を互いに嵌合して図１に示す結合部位Ａを形成している。
【００２５】
前記第１プロテクタ本体１２の結合部１７は、図２（Ａ）（Ｂ）に示すように、第１プロテクタ本体１２の底壁１２ａおよび両側壁１２ｂと連続する底壁１７ａおよび両側壁１７ｂを備えた断面コ字形状よりなる。
【００２６】
前記底壁１７ａには、長さ方向と直交する幅方向の中央部に幅方向に延在する横長さなロック孔１９を穿設し、該ロック孔１９の幅方向両側には、後述の位置決めリブ２７を嵌合する位置決め孔を２０を穿設している。
前記両側壁１７ｂの外面には、前記ロック孔１９および位置決め孔２０よりも結合端側の位置に左右一対のロック爪係止枠２１を設けている。
【００２７】
前記第２プロテクタ本体１３の結合部１８は、図２（Ａ）（Ｂ）に示すように、プロテクタ本体１３の底壁１３ａおよび両側壁１３ｂと連続する底壁１８ａと両側壁１８ｂを備えた断面コ字形状よりなり、前記第１プロテクタ本体１２の結合部１７の内面に嵌合される大きさとしている。
【００２８】
前記結合部１８の底壁１８ａの結合側先端には、その長さ方向と直交する幅方向の中央部に幅方向に横長のロック片２５を下方に突設し、前記ロック孔１９に挿入係止するものとしている。
前記ロック片２５の幅方向両側には、底壁１８ａの結合側先端を開口した長さＸ方向のスリット２６を入れると共に、この両側のスリット２６を介して両外側位置に、前記位置決め孔２０に嵌合する位置決めリブ２７を下方に突設している。
【００２９】
前記ロック片２５は、図４（Ａ）に示すように、結合部１８の底壁１８ａの先端を屈曲して下方に垂下させた縦枠部２５ａと、該縦枠部２５ａの下端をＬ字形状に屈曲して長さＸ方向に突出させた係止部２５ｂとからなる。該係止部２５ｂの上面は、底壁１８ａと略平行な係止面２５ｃとし、下面側は上面側にかけて傾斜させたガイド面２５ｄとしている。
【００３０】
図４（Ａ）に示すように、前記ロック孔１９の長さＸ方向の寸法Ｗ１は、ロック片２５の前記縦枠部２５ａの厚み幅Ｗ２よりも大としている。また、図４（Ａ）（Ｃ）に示すように、結合部１８の底壁１８ａの下面からロック片２５の前記係止面２５ｃまでの突出高さＨ１は、第１プロテクタ本体１２の結合部１７の底壁１７ａの厚みＴ１と同寸として、第１、第２プロテクタ本体１２、１３の結合状態において、ロック片２５の係止面２５ｃが、第１プロテクタ本体１２の結合部１７の底壁１７ａの下面に当接するように設定している。
【００３１】
前記位置決めリブ２７は、下端に係止爪等の突起を設けず、図５に示すように、第１プロテクタ本体１２の前記位置決め孔２０に単純に挿入して嵌合する突出部としている。また、位置決めリブ２７と位置決め孔２０との間には長さＸ方向にクリアランスを設けず、嵌合時に位置決めリブ２７の前後両面２７ａ、２７ｂが位置決め孔２０の内面に当接するように設計している。
【００３２】
前記結合部１８の両側壁１８ｂの外面には、前記第１プロテクタ本体１２のロック爪係止枠２１に上方から挿入して係止される左右一対のロック爪２４を下方に突設している。
【００３３】
前記第１プロテクタ本体１２の上面開口を覆う上壁１５ａの長さ方向一端側には、図３に示すように、幅方向両側より垂下させて、ロック部３０を下方に突設している。
また、図１に示すように、前記上壁１５ａの幅方向両側には、長さ方向に所要間隔をあけて複数のロック部３１を下方に突設している。
【００３４】
前記第２プロテクタ本体１３の上面開口を覆う上壁１６ａの長さ方向一端側には、図３に示すように、幅方向両側より垂下させて、ロック部３２を下方に突設している。
また、図１に示すように、前記上壁１６ａの幅方向両側には、長さ方向に所要間隔をあけて複数のロック部３３を下方に突設している。
【００３５】
前記第１プロテクタ本体１２の両側壁１２ｂの外面には、図３にも示すように、前記ロック爪係止枠２１よりも本体側（結合端側と反対側）に隣接して、前記第１蓋１５および第２蓋１６のロック部３０、３２を挿入係止する２個の被ロック部３４ａ、３４ｂを並設している。
【００３６】
また、第１プロテクタ本体の両側壁１２ｂの外面には、図１に示すように、前記第１蓋１５のロック部３１を挿入係止する被ロック部３５を所要間隔をあけて複数個所に設けている。
同様に、第２プロテクタ本体１３の両側壁１３ｂの外面側には、前記第２蓋１６のロック部３３を挿入係止する被ロック部３６を所要間隔をあけて複数個所に設けている。
【００３７】
次に、前記構成のプロテクタ１０の組み立て手順を説明する。
まず、図２（Ａ）に示すように、第２プロテクタ本体１３の結合部１８を第１プロテクタ本体１２の結合部１７に上方から嵌合し、図３に示すように、第２プロテクタ本体１２のロック爪２４を第１プロテクタ本体１２のロック爪係止枠２１に挿入係止してロック結合して、第２プロテクタ本体１３の結合部１８を第１プロテクタ本体１２の結合部１７に内嵌させる。
このとき、図４（Ａ）〜（Ｃ）に示すように、第２プロテクタ本体１３のロック片２５を第１プロテクタ本体１２のロック孔１９に上方から挿入し、該ロック片２５の係止部２５ｂをロック孔１９の下面側周縁に係止すると共に、図５に示すように、第２プロテクタ本体１３の位置決めリブ２７を第１プロテクタ本体１２の位置決め孔２０に挿入嵌合する。
【００３８】
ついで、図３および図６に示すように、前記結合状態の第１プロテクタ本体１２と第２プロテクタ本体１３の上面に、第１蓋１５および第２蓋１６を被せてロック結合する。
このとき、第１蓋１５は、第１プロテクタ本体１２の上面に被せ、図１に示すように、ロック部３１をプロテクタ本体１２の被ロック部３５に挿入係止すると共に、結合端側のロック部３０を第１プロテクタ本体１２の被ロック部３４ａに挿入係止する。また、第２蓋１６は、第２プロテクタ本体１３から結合部位Ａを越えて第１プロテクタ本体１２にかけて上面に被せ、ロック部３３をプロテクタ本体１３の被ロック部３６に挿入係止すると共に、結合端側のロック部３２を第１プロテクタ本体１２の被ロック部３４ｂに挿入係止する。
【００３９】
このように、前記構成のプロテクタ１０は、第１、第２プロテクタ本体１２、１３を結合するときに、左右一対のロック爪２４とロック爪係止枠２１、およびロック片２５とロック孔１９の計３箇所のロック結合と、位置決めリブ２７と位置決め孔２０との嵌合による１箇所の位置決めを行う。
【００４０】
ロック片２５は、両側にスリット２６が入っているうえ、ロック孔１９を突き抜けて下面側周縁に係止するために従来に比べて突出高さＨ１が高く、かつ、ロック孔１９の長さＸ方向の寸法Ｗ１がロック片２５の縦枠部２５ａの厚さＷ２よりも大であるため、隙間が生じる。よって、ロック片２５は、図４（Ｂ）に示すように撓みやすく、ロック孔１９への嵌合時に必要な反りを確保できるため、低挿入力でも容易にロック結合することができる。
一方、位置決めリブ２７は位置決め孔２０に単純に挿入嵌合する構造であるため、該位置決めリブ２７に撓み等は不要である。
従って、いずれの嵌合作業においても低挿入力で容易かつ確実に嵌合することができ、作業性が向上すると共に、半嵌合による不具合発生も防止できる。
【００４１】
また、前記構成のプロテクタ１０の前記結合部位Ａは、図３に示すように、ロック爪２４がロック爪係止枠２１にロック結合して長さＸ方向および上下Ｙ方向に位置決めされるうえ、このロック結合位置Ｒから間隔をあけて第１プロテクタ側の位置でも、図４（Ｃ）に示すように、第２プロテクタ本体１３の前記ロック片２５の係止面２５ｃが第１プロテクタ本体１２の結合部１７の底壁１７ａの下面に当接して係止することによって、上下Ｙ方向に位置決めされる。即ち、第１、第２プロテクタ本体１２、１３は、長さＸ方向において異なる２箇所で上下Ｙ方向に位置決めされるため、前記ロック結合位置Ｒを中心に上下回転Ｖ方向に第１、第２プロテクタ本体１２、１３がズレ動くことを効果的に抑制できる。
【００４２】
さらに、図５に示すように、第２プロテクタ本体１３の前記位置決めリブ２７が第１プロテクタ本体１２の前記位置決め孔２０に挿入嵌合され、かつ、該位置決めリブ２７の前後両面２７ａ、２７ｂが位置決め孔２０の内面に当接することによって第１、第２プロテクタ本体１２、１３は長さＸ方向に正確に位置決めされる。
【００４３】
従って、前記構成のプロテクタ本体１０は、結合部位Ａにおいて、長さＸ方向、上下Ｙ方向、および上下回転Ｖ方向のいずれの方向の遊びも減少するため、該結合部位Ａの変形を防止できると共に、ワイヤハーネスや他の周辺部品との干渉を防止することができる。
【図面の簡単な説明】
【００４４】
【図１】本発明の第一実施形態に係るプロテクタの要部斜視図である。
【図２】結合前の第１プロテクタ本体と第２プロテクタ本体の結合部を示し、（Ａ）は斜視図、（Ｂ）は平面図である。
【図３】結合状態の第１プロテクタ本体と第２プロテクタ本体の結合部を斜視図である。
【図４】（Ａ）（Ｂ）（Ｃ）は、第１プロテクタ本体のロック孔に第２プロテクタ本体のロック片を挿入係止する工程を示す断面図である。
【図５】位置決めリブと位置決め孔との嵌合工程を説明する断面図である。
【図６】図３に示すプロテクタ本体に蓋をロック結合した状態を示す斜視図である。
【図７】従来例の図である。
【図８】他の従来例の図である。
【図９】図８（Ｂ）のＩＸ−ＩＸ線断面図である。
【符号の説明】
【００４５】
１０  プロテクタ
１２  第１プロテクタ本体
１３  第２プロテクタ本体
１７  第１プロテクタ本体の結合部
１８  第２プロテクタ本体の結合部
１９  ロック孔
２０  位置決め孔
２１  ロック爪係止枠
２５  ロック片
２６  スリット
２７  位置決めリブ
Ｘ  長さ方向
Ｙ  上下方向
Ｖ  上下回転方向
Ａ  結合部位
【図１】
2008271672.tif 000003
【図２】
2008271672.tif 000004
【図３】
2008271672.tif 000005
【図４】
2008271672.tif 000006
【図５】
2008271672.tif 000007
【図６】
2008271672.tif 000008
【図７】
2008271672.tif 000009
【図８】
2008271672.tif 000010
【図９】
2008271672.tif 000011